(57)【特許請求の範囲】
【請求項１】
フードとその内側の吸引部とを備え、煙その他の排出対象を前記吸引部により前記フードの内側に誘導して吸引・排出するレンジフード装置であって、
前記フードは逆さ容器状をなすとともに、その頂部から下側へ向かう前記フードの径が中間部で最大となり、その最大の径部から下側領域で前記フードの径が縮小して下端開口へ至る下すぼまりの形態を有し、
前記吸引部は前記フードの中心部に位置し、前記吸引部と前記フードとの間に前記煙等の排出対象を導く環状空間が形成され、
前記吸引部は、前記フードに対し前記環状空間を隔てて対向する吸引胴部とその吸引胴部の下方を閉ざす下端部とを備え、
下すぼまりの前記フードの前記下端開口を形成する内側周縁部は、前記吸引胴部の方向から上方へ向けて曲げ起こされて円環状の形態を成す油受け溝とされ、
その油受け溝は、前記フードの内周面に付着して自重で下方へ移動する油分を受け止めるとともに、
前記吸引胴部には、その外側から内側へ煙等の排出対象を吸引して通過させる千鳥配列された小孔又は上下方向又は周方向のスリット孔による通気部が形成され、
その通気部は、逆さ容器状をなす前記フードの下すぼまりの前記内側周縁部に臨む前記吸引胴部の下側領域だけに形成されたことを特徴とするレンジフード装置。
【請求項２】
前記吸引胴部の前記下端部は、下面を形成する下面部とその下面部の上側開口を塞ぐ蓋部とを備え、
前記下面部の前記下面は、中心部が下方に湾曲して前記フードの前記下端開口よりも下方に突出する形状を成しており、
前記下面部は排出対象を前記吸引部の前記環状空間へ誘導することを特徴とする請求項１に記載のレンジフード装置。
【請求項３】
前記吸引胴部の前記下端部を形成する前記下面部と前記蓋部との間の空間にはＬＥＤ光源を配置し、照明ユニットとして機能している請求項２に記載のレンジフード装置。
【請求項４】
前記フードとその内側の前記吸引部は、複数の吊り下げ部材によって吊り下げ固定され、前記吸引部の前記吸引胴部内に吸引駆動部が配置されている請求項１ないし３のいずれか１項に記載のレンジフード装置。
【請求項５】
前記フードの中心側に位置する前記吸引胴部の閉じられた前記下端部には、前記吸引胴部の内側へ吸引され自重により下方へ移動する油分を受け止める油受けトレイが、前記吸引胴部の直径方向に出し入れ可能なスライド引出し式に設けられ、
前記フードの前記内周面を移動する油分を前記油受け溝が捕獲し、前記吸引胴部の内部を移動する油分を前記油受けトレイが捕獲する請求項１ないし４のいずれか１項に記載のレンジフード装置。
【発明の詳細な説明】
【技術分野】
【０００１】
本発明は、レンジフード装置に関する。
【背景技術】
【０００２】
レンジフード装置は、例えば加熱機器等の上方に配置され、下方から上昇してくる煙や水蒸気等の排出対象を吸引し、ダクト等を介して外部に排出する（例えば特許文献１等）。
【先行技術文献】
【特許文献】
【０００３】
【特許文献１】特開２００３−４２７５号公報
【発明の概要】
【発明が解決しようとする課題】
【０００４】
近年、こうしたレンジフード装置においてもデザイン性の向上が求められている。しかしながら、新しいデザインを実現するべく形状変更等を行った場合には、排出対象を吸引・排出する能力を確保することが難しくなる、メンテナンスが難しくなる等、機能面における問題が生ずるものであり、容易なことではない。
【０００５】
本発明の課題は、特徴的なデザイン性を有しつつ、排出対象を吸引・排出に関連する一定の機能が確実に確保されるレンジフード装置を提供することにある。
【課題を解決するための手段及び発明の効果】
【０００６】
上記課題を解決するために、本発明のレンジフード装置は、
フードとその内側の吸引部とを備え、煙その他の排出対象を前記吸引部により前記フードの内側に誘導して吸引・排出するレンジフード装置であって、
前記フードは逆さ容器状をなすとともに、その頂部から下側へ向かう前記フードの径が中間部で最大となり、その最大の径部から下側領域で前記フードの径が縮小して下端開口へ至る下すぼまりの形態を有し、
前記吸引部は前記フードの中心部に位置し、前記吸引部と前記フードとの間に前記煙等の排出対象を導く環状空間が形成され、
前記吸引部は、前記フードに対し前記環状空間を隔てて対向する吸引胴部とその吸引胴部の下方を閉ざす下端部とを備え、
下すぼまりの前記フードの前記下端開口を形成する内側周縁部は、前記吸引胴部の方向から上方へ向けて曲げ起こされて円環状の形態を成す油受け溝とされ、
その油受け溝は、前記フードの内周面に付着して自重で下方へ移動する油分を受け止めるとともに、
前記吸引胴部には、その外側から内側へ煙等の排出対象を吸引して通過させる千鳥配列された小孔又は上下方向又は周方向のスリット孔による通気部が形成され、
その通気部は、逆さ容器状をなす前記フードの下すぼまりの前記内側周縁部に臨む前記吸引胴部の下側領域だけに形成されたことを特徴とする。
【０００７】
上記本発明によれば、容器状の中間部が外側に膨出すると新しいデザインを有するレンジフード装置を実現できる。さらに、下側領域は下すぼまりの形態をなすことで、煙その他の排出対象を吸引する開口が小さくなり、フード内に誘導した排出対象を逃がし難い。
【図面の簡単な説明】
【０００８】
【図１】本発明の一実施形態であるレンジフード装置の外観斜視図。
【図２】図１のレンジフード装置の正面図。
【図３】図１のレンジフード装置の背面図。
【図４】図１のレンジフード装置の左右側面図。
【図５】図１のレンジフード装置の平面図。
【図６】図１のレンジフード装置の底面図。
【図７】図５のフードのＡ−Ａ断面拡大図。
【図８】図５のフードのみをＢ−Ｂ断面で切断して正面側から見た断面図。
【図９】図５のフードのみをＢ−Ｂ断面で切断して背面側から見た断面図。
【図１０】図５のフードのみをＢ−Ｂ断面で切断して右側面側から見た断面図。
【図１１】図５のフードのみをＢ−Ｂ断面で切断して左側面側から見た断面図。
【図１２】図５のＢ−Ｂ断面であって吸引部内の構造を省略したＢ−Ｂ断面図。
【図１３】図５のＡ−Ａ断面拡大図であって、吊り下げ部材とフードと吸引部の固定を説明する拡大断面図。
【図１４】図１２のＣ−Ｃ断面拡大図。
【図１５】図５のフードをＢ−Ｂ断面で切断して正面側から見た断面図に、吊り下げ部材や吸引駆動部、ダクトを追加して図示すると共に、吸引対象である気体の流れを示した図。
【図１６】図１１のＤ−Ｄ断面図であって、油受けトレイの収容及び取り出しを説明するための図。
【図１７】油受けトレイを挿通する挿通口のある吸引胴部を簡略的に示した斜視図。
【図１８】図１１のＥ−Ｅ断面図。
【図１９】本発明のレンジフード装置の第一変形例を簡略的に示した斜視図。
【図２０】図１９の平面図。
【図２１】図１９の正面図。
【図２２】本発明のレンジフード装置の第二変形例を簡略的に示した斜視図。
【図２３】本発明のレンジフード装置の第三変形例を簡略的に示した平面図。
【図２４】本発明のレンジフード装置の第四変形例を簡略的に示した平面図。
【図２５】本発明のレンジフード装置の第五変形例を簡略的に示した平面図。
【図２６】本発明のレンジフード装置の第六変形例を簡略的に示した平面図。
【図２７】本発明のレンジフード装置の第七変形例を簡略的に示した底面図。
【発明を実施するための形態】
【０００９】
以下、本発明のレンジフード装置の一実施形態を、図面を参照して説明する。
【００１０】
図１〜図６に示すように、本実施形態のレンジフード装置１は、フード２と、フード２の内側の吸引部３と、を備えて構成され、煙その他（水蒸気等）の排出対象を吸引部３によりフード２の内側に誘導して吸引・排出する。
【００１１】
フード２は、図２〜図４に示すように、その頂部２ａから下側へ向かうフード２の径が中間部２ｃで最大となる逆さ容器状の形態を有する。そして、フード２は、中間部２ｃの最大の径部２ｃ１（図１４参照）から下側領域（下端部）２ｂにおいて、その径２ｄが縮小して下端開口２Ｈへ至る下すぼまりの形態のフード本体２１を有する。吸引部３は、フード２の内側の中心部に位置し、それら吸引部３とフード２との間には、外部から煙等の排出対象を導く環状空間２０が形成される。
【００１２】
本実施形態のフード２は、円形の横断面形状を有しており、板状の部材を湾曲させたような全体形状をなす。後述する吊り下げ部材挿通部２４やダクト挿通孔２５等の局所的な部分を除けば、フード２全体として、角の無い丸みのある独特な外観を有する。
【００１３】
また、本実施形態のフード２は、図８〜図１０及び図１４に示すように、下すぼまりの下端開口２Ｈの内側周縁部２２に、フード２の内周面２１ｂに付着して自重で下方へ移動する油分を受け止めるための環状に連続する形態をなす油受け溝２２が形成されている。
【００１４】
なお、油受け溝２２は、下端開口２Ｈの内側周縁部２２に、不連続に環状の形態をなして形成されていてもよい。つまり、図２７に示すように、油受け溝２２は内側周縁部２２に断続的に形成されていてもよい。
【００１５】
本実施形態のフード２の下端開口２Ｈは、そのフード２の下端側の周面が吸引胴部３１側へ接近する形で形成されており、フード２の板状の板周縁部２２が内側へ曲げ起されて円環状の油受け溝２２とされている。即ち、本実施形態のフード２は、中間部２ｃから下側領域２ｂにおいて下方ほど径２ｄが縮小する湾曲形状を有し、その先端部２２は、内向きに滑らかに折り返された形状で上方へと突出しており、この折り返し形状部分が油受け溝２２となっている。さらに本実施形態の先端部２２は、内向きに滑らかに折り返された形状で、かつその先端が上方外向きに突出した形状をなしている（図１４参照）。
【００１６】
本実施形態のフード２は、図８〜図１０及び図１４に示すように、その頂部２ａから、油受け溝２２をなす折り返し形状部分の先端部２２ａまでに至る内周面２１ｂが、滑らかな湾曲形状をなしている。このため、油受け溝２２に効率的に油分を集めることができる。また、本実施形態のフード２は、その頂部２ａから、油受け溝２２をなす折り返し形状部分の先端部２２ａまでに至る外周面２１ａも、滑らかな湾曲形状をなしているため、特徴的なデザインとなっている。
【００１７】
本実施形態の吸引部３は円筒形状の吸引胴部３１を有する。この吸引胴部３１と上記フード２とは同心的に組み立てられており、それら吸引胴部３１とフード２との間に円環状の環状空間２０が形成されている。フード２の下端側の内周面２１ｂ２（図１４参照）は、吸引胴部３１側へ接近してフード２の下端開口２Ｈとなっており、この下端開口２Ｈから吸引された煙等の排出対象が、環状空間２０内へと導かれる（図１５参照）。
【００１８】
本実施形態の吸引胴部３１は、図１５に示すように、フード２に対し環状空間２０を隔てて対向するとともに、内部３０に煙等の排気対象を吸引する吸引駆動部（ここではシロッコファン）８を有する。また、吸引胴部３１には、図８及び図１２に示すように、その外側から内側へ煙等の排出対象を吸引して通過させる通気部３１Ｈが形成されており、環状空間２０内へと導かれた煙等の排出対象は、この通気部３１Ｈから吸引胴部３１内へと導かれるとともに、その内部空間３０内において吸引駆動部８により吸引されて、ダクトを介して外部へ排出される。なお、本実施形態における吸引駆動部８は、その吸引口が吸引胴部３１の下側、つまり通気部３１が形成される側に偏って位置するように配置されている。
【００１９】
なお、本実施形態の通気部３１Ｈは、吸引胴部３１の上側領域３１ａにおいては形成されず、下側領域３１ｂにおいて千鳥配列された複数の小孔として形成されている。この通気部３１Ｈは、上下方向もしくは周方向等に延出する複数のスリット状の通気部として形成されていてもよい。
【００２０】
また、本実施形態の吸引胴部３１は閉じられた下端部３３を有する。その吸引胴部３１の下端部３３には、吸引胴部３１の内側の吸引駆動部８へ吸引されて自重により下方へ移動する油分を受け止める油受けトレイ９が出し入れ可能に設けられている。
【００２１】
なお、本実施形態においては、吸引胴部３１の閉じられた下端部とは、吸引胴部３１の下面３３ａを形成する部位３３であるが、本発明においてはこれに限らず、本実施形態における吸引胴部３１の下端側の部位と下端部３３とを含めて、上記閉じられた下端部としてもよい。
【００２２】
図１６に示すように、本実施形態の油受けトレイ９は、下端部３３上において、円筒状の吸引胴部３１の直径方向にスライド可能な引出し式トレイとして設けられている。ここでは、その下端部３３の上面３３ｂ上に、油受けトレイ９の上記直径方向のスライドをガイドするガイド部材３９ｇが設けられている。ガイド部材３９ｇは、主面部３９ｇ２と、主面部３９ｇ２の両端が屈曲した形で、油受けトレイ９を両側から挟むよう上方に突出した板状のガイド部３９ｇ１とを有する。ガイド部材３９ｇは、下端部３３とは別に形成された上で、主面部３９ｇ２の裏面が溶接等により下端部３３の上面３３ｂに対し固定され、一体化されている。
【００２３】
本実施形態における吸引胴部３１の下端部３３は、図１２の右下に示すように、下面３３ａを形成する下面部３６を有する。この下面部３６は、下方に膨出して下面（意匠面）３３ａを形成する下面本体部３３Ａと、その下面本体部３３Ａにおける円環状の上端縁部から内向きに延出する円環状部３３Ｂとを有して形成されている。円環状部３３Ｂには、図１６に示すように、その上面３３ｂの両脇に上方に延出するフレーム部材３４，３４が、ネジ等の締結部材３４ｃにより組み付けられている。そして、それらフレーム部材３４，３４の間に、油受けトレイ９と、その上方に吸引駆動部８とが設けられている。吸引胴部３１は、横断面が半円弧状の２つの外周板部材３１Ａ，３１Ｂを有しており、フレーム部材３４，３４に対し、それら３１Ａ，３１Ｂを円形に合わせた状態で、ネジ等の締結部材３４ｅにより取り付けられている。また、図１７に示すように、一方の半円弧状の外周板部材３１Ａについては、その中央下端部に、矩形状に切り欠かれた開口３１ｃが形成されており、この開口３１ｃから、引出し式の油受けトレイ９が挿通されている。ここでの油受けトレイ９は、上方が開口する四角柱状の筐体部９２と、把持部となるトレイ先端部９１とを有し、上記開口（挿通口）３１ｃに完全収容された状態では、そのトレイ先端部９１がその開口３１ｃから露出する。そのトレイ先端部９１は、外周板部材３１Ａと同様に湾曲した円弧面として表面（意匠面）９１ａが形成されているため、上記開口（挿通口）３１ｃへの完全収容状態においては、外周板部材３１Ａの一部として視認できる（図１６右側参照）。
【００２４】
本実施形態の吸引胴部３１は、フレーム部材３４，３４の上端に、上方が閉じられて下方に開口する円筒状の上端部３２を有しており、それらフレーム部材３４，３４に対しネジ等の締結部材３４ｃにより固定されている。ただし、この上端部３２は、図１８に示すように、円形板状の上面部３２ａに、ダクト５を挿通させるダクト挿通孔３２Ｈ等が形成されている。本実施形態の上端部３２は、上面部３２ａと、その外縁から下方に延出する筒状の外周面部３２ｂとを有した、下方に開口する筐体構造をし、フレーム部材３４，３４は、その外周面部３２ｂ内部に配置されている。
【００２５】
なお、本実施形態において、フレーム部材３４，３４は、図１６及び図１８に示すように、横断面が略Ｔ字状をなす形で形成されており、横長のＴ字頭部３４ｂの中央から、円筒状の吸引胴部３１の直径方向外向きに突出する形で、縦長のＴ字脚部３４ａを有し、互いが締結部材３４ｄにより一体固定されている。吸引胴部３１をなす一方の外周板部材３１Ｂは、Ｔ字脚部３４ａの突出側先端面に隣接する側面のうち、自身が配置される側とは逆の奥側の側面３４ａ１に対し引っ掛かるよう内向きに突出する爪部３１ｄを有する。そして、その側面３４ａ１に爪部３１ｄを引っ掛けた状態で外周板部材３１Ｂを配置し、さらに、もう一方の外周板部材３１Ａを、Ｔ字脚部の突出側先端面３１ａ２の外側にて、外周板部材３１Ｂの両端に自身の両端を重ねる形で配置し、その状態で、それら外周板部材３１Ａ，３１Ｂの重なりを外側から、縦長のＴ字脚部３４ａの突出側先端面３１ａ２を貫くまで貫通する形で締結部材３４ｅをねじ込み、締結固定する。
【００２６】
また、本実施形態の本実施形態のレンジフード装置１は、図１５に示すように、線材もしくは棒状部材からなる複数の吊り下げ部材４により上方（例えば天井等）から吊り下げられる形で配置される。図５に示すように、フード２の頂部２ａの周辺の、上方を臨む部分には、吊り下げ部材を差し込む筒状の吊り下げ部材挿通部（以下、挿通部と略す）２４が設けられており、吊り下げ部材４はその挿通部２４に上方から差し込まれる。また、図１３に示すように、吊り下げ部材４は、外周面に雄ネジが形成されており、挿通部２４に差し込まれた際には、その先端部４２がフード２の内部にまで到達し、さらに、その先端４１が吸引胴部３１の上面部３２ａに形成された固定孔３２ｈに挿通され、それらフード２の及び吸引胴部３１に対しそれぞれ締結固定されている。
【００２７】
具体的にいえば、挿通部２４は、上方から差し込まれる吊り下げ部材４の外周を取り囲む筒部２４ａと、フード２の内部に貫通する貫通孔２４ｈを中央に有した環状底面を形成する底部２４ｂと、を有する。吊り下げ部材４は、挿通部２４に挿通された際、挿通部２４の底部２４ｂを上下で挟み込むナット４２ａ，４２ｄにより固定される。なお、底部２４ｂと、フード２内側のナット４２ｄとの間には、上から順にワッシャー４２ｂとバネワッシャー４２ｃが介在しており、ナット４２ａ，４２ｄはこれら４２ｂ、４２ｃを含めて底部２４ｂを挟圧している。また、吊り下げ部材４の先端４１は、貫通孔２４ｈを下方に貫通し、吸引胴部３１の上端部３２と締結固定される。ここでは、吊り下げ部材４の先端４１が上端部３２の上面部３２ａに設けられた貫通孔３２ｈから下方に貫通し、貫通した先に配置されたナット４３ｂにより締結固定されている。なお、上面部３２ａとナット４３ｂとの間には、ワッシャー４３ａが介在する。この締結固定により、フード２と、吸引胴部３１の上端部３２の角部３２ｃが当接状態となる。これにより、フード２と吊り下げ部材との固定、ひいては吊り下げ部材と吸引部３との固定が安定する。
【００２８】
なお、挿通部２４は、フード２とは別に形成されたものであり、溶接等によりフード２と一体化されている。挿通部２４の底部２４ｂの環状底面が水平面をなして形成されることで、レンジフード装置１を傾斜することなく水平に配置できる。
【００２９】
また、本実施形態の下端部３３は、フード２の下端開口２Ｈよりも下方に突出した下方突出部として形成されている。この下方突出部３３は、下方を臨む下面３３ａが中心部ほど下方に突出する形状をなし、下から接近する煙等の排出対象を吸引部３の外周側の空間２０へと導く煙案内部として機能している。本実施形態においては、下方突出部３３は、下面３３ａの中心部が下方に最も突出するとともにその外周側が下方ほど径が縮小する滑らかな湾曲面をなして形成されている。ここでの下方突出部３３の下面３３ａは、頂部及びその周辺の外周部を含めた全体が滑らかに湾曲する面として形成されている。フード２が頂部２ａを上に有した湾曲形状をなし、その下から突出する吸引部３の下方突出部３３も、その頂部を下に有した湾曲形状をなしていることで、レンジフード装置１全体に、デザイン的な統一感が生み出されている。
【００３０】
なお、本実施形態における下端部３３は照明ユニットとして構成される。本実施形態の照明ユニット３３は、ＬＥＤを光源として使用するＬＥＤ照明ユニットであって、吸引胴部３１に対し着脱可能に固定される。照明用の発光部６は、図２に示すように、下方を臨む下面３３ａの中心部（頂部）にて真下に向かって光を照射するよう配置され、リモコンやスイッチ等の所定のユーザー操作により発光する。ここでは、図６に示すように、下面３３ａの正面側にリモコン７０からの遠隔操作信号を受信する受信部（受光部）７が設けられている。この受信部７が、リモコン７０上でなされた各種操作（例えば吸引駆動部８を駆動させるための駆動操作や照明のＯＮ／ＯＦＦ操作等）に基づく遠隔操作信号を受信すると、その信号に応じて吸引駆動部８や照明ユニット３３内の光源が駆動する。また、図１６に示すネジ３４ｃを外すことで、この照明ユニット３３は取り外すことができる。
【００３１】
また、本実施形態における下端部３３は、図１２の右下に示すように、下面３３ａを形成する下面部３６と、下面部３６の上端側開口３５Ｈを塞ぐ蓋部３５と、を有する。下面部３６は、下方に膨出して下面（意匠面）３３ａを形成する下面本体部３３Ａと、その下面本体部３３Ａにおける円環状の上端縁部から内向きに延出して中心部に上端側開口３５Ｈを形成する円環状部３３Ｂとを有して形成されている。蓋部３５は円形板状の部材であり、円環状部３３Ｂの中心部の円形の開口３５Ｈ（図１６参照）を上方から塞ぐ。この開口３５Ｈは、照明ユニットをなす下端部３３の内部に配置された、光源を含む各種光学装置やリモコン受光部７に対しメンテナンスを行うために設けられたものであり、この開口３５Ｈを塞ぐ蓋部３５は、下面部３６に対し着脱可能に固定されている。ここでは図１２及び図１６に示すように、円環状部３３Ｂの開口周縁部と蓋部３５の外周部とは互いが重なるように配置され、その重なり領域上で、ネジ等の締結部材３５ｃにより固定されている。なお、符号３５ｈは照明ユニット３３への電源線を通す孔である。
【００３２】
以上、いくつかの実施例を説明したが、それらの記載に限定して解釈されるものではなく、本発明の趣旨を逸脱しない限り、種々の変更が可能である。
【００３３】
上記実施形態においては、フード２の横断面が円形状をなしているが、その頂部２ａから下側へ向かうフード２の径が中間部２ｃで最大となり、その最大の径２ｄが縮小して下端開口２Ｈへ至る下すぼまりの形態を有するものであれば、図１９〜図２６のような変形をしてもよい。本実施形態のように、フード２と吸引部３を同心に配置し、かつ横断面の形状が同じように形成されることで、レンジフード装置１全体に、デザイン的な統一感が生まれる。
【００３４】
図１９〜図２１のレンジフード装置１は、フード２の横断面が矩形状であり、吸引部３もそれに対応して四角柱状をなす。図２２のレンジフード装置１は、フード２の形状は上記実施形態と同様であるが、内部の吸引部３の形状が四角柱状をなす。図２３のレンジフード装置１は、フード２の横断面が楕円形状をなし、内部の吸引部３は上記実施形態と同じ円筒状をなす。図２４のレンジフード装置１は、フード２の横断面が楕円形状で、吸引部３もそれに対応して楕円形状をなす。図２５のレンジフード装置１は、フード２の横断面が矩形状であり、内部の吸引部３の形状が内部の吸引部３は上記実施形態と同じ円筒状をなす。図２６のレンジフード装置１は、フード２の横断面が三角形状であり、内部の吸引部３の形状が内部の吸引部３は上記実施形態と同じ円筒状をなす。
【００３５】
上記実施形態においては、フード２の下端側先端部をなす油受け溝２２がフード２の内面２１ｂを移動する油分を捕獲し、吸引胴部３１の下端部３３に配置された油受けトレイ９が吸引胴部３１の内部を移動する油分を捕獲するよう構成されているが、それら油受け溝２２や油受けトレイ９の形状は他の形状であってもよいし、いずれか又は双方を省略した構成とすることもできる。少なくともフード２の中間部２ｃから下側の下すぼまりの形態を有していれば、下端開口２Ｈから煙等の排出対象が外に漏れ難くなる。上記実施形態では、その下端開口２Ｈでフード２の板周縁部２２が内側へ曲げ起されていることで、油受け溝２２として機能しているが、この油受け溝２２の形状は、下端開口２Ｈから煙等の排出対象が外に漏れ難くすることにも大きく貢献している。
【符号の説明】
【００３６】
１  レンジフード装置
２  フード
２ａ  頂部
２ｃ  中間部
２ｃ１  中間部の最大径部
２ｄ  中間部の最大径部の径
２Ｈ  下端開口
２２  油受け溝
２１ａ  フードの外周面
２１ｂ  フードの内周面
２１ｂ２  フードの下端側の内周面
２０  環状空間
３  吸引部
３１  吸引胴部
３１Ａ，３１Ｂ  外周板部材
３１Ｈ  通気部
３２  吸引胴部の蓋部
３４  吸引胴部のフレーム部材
３３  吸引胴部の下端部（照明ユニット）
３０  内部空間
４  吊り下げ部材
５  ダクト
６  発光部
８  吸引駆動部
９  油受けトレイ
【図２】
0005936884.tif 000002
【図３】
0005936884.tif 000003
【図４】
0005936884.tif 000004
【図５】
0005936884.tif 000005
【図６】
0005936884.tif 000006
【図７】
0005936884.tif 000007
【図８】
0005936884.tif 000008
【図９】
0005936884.tif 000009
【図１０】
0005936884.tif 000010
【図１１】
0005936884.tif 000011
【図１２】
0005936884.tif 000012
【図１３】
0005936884.tif 000013
【図１４】
0005936884.tif 000014
【図１５】
0005936884.tif 000015
【図１６】
0005936884.tif 000016
【図１７】
0005936884.tif 000017
【図１８】
0005936884.tif 000018
【図１９】
0005936884.tif 000019
【図２０】
0005936884.tif 000020
【図２１】
0005936884.tif 000021
【図２２】
0005936884.tif 000022
【図２３】
0005936884.tif 000023
【図２４】
0005936884.tif 000024
【図２５】
0005936884.tif 000025
【図２６】
0005936884.tif 000026
【図２７】
0005936884.tif 000027
【図１】
0005936884.tif 000028